(57)【要約】【課題】  飲み物などを運ぶ時、零れ難く片手で運べるトレーを提供する。【解決手段】  トレーの周囲に高さ方向にスライドする、斜めのつめの付いた枠体を数段設け、一番外側の枠体に取っ手取り付け部を設けそこに取っ手を設置し、取っ手を持ち上げると各枠体が上方向にスライドし、高さが増すことによりカップの重心よりも、支点が上に移動することを特徴とする伸縮するトレー。【選択図】図１
2015051249.tif 000002
【特許請求の範囲】
【請求項１】
トレーの周囲に高さ方向にスライドする、斜めのつめの付いた外周のそれぞれ異なる枠体を数段設け、トレーと各枠体が外れないよう一番外側の枠体にカバーを設け、一番外側の枠体に取っ手を設置する取っ手取り付け部を設け、片手で持てるように固定しない取っ手を取っ手取り付け部に設置し、取っ手を持ち上げた時、取っ手取り付け部を介し、各枠体がスライドして高さが増すことにより、支点がカップの重心よりも高い位置に移動することで、カップに入った飲み物が零れ難くなることを特徴とする、取手のついた伸縮するトレー。
【発明の詳細な説明】
【技術分野】
【０００１】  本発明は、カップに入った飲み物などをトレーに乗せ運ぶとき、零れ難いようにしたトレーに関するものである。
【背景技術】
【０００２】従来、カップに入った飲み物などを運ぶとき、トレーに乗せ運んでいる。
【発明の開示】
【発明が解決しようとする課題】
【０００３】そのため次のような問題点があった。
（１）零さないように運ぶので、緊張し時間も掛かる。
（２）セルフサービスの喫茶店など空いているテーブルまで運ぶ間、他のお客さんの          不注意で強く当たってきた場合、カップが落下して破損する恐れがあった。
本発明は、以上の問題点を解決しようとするものである。
【課題を解決するための手段】
【０００４】  トレー（１）の外側に高さ方向にスライドする、外周のそれぞれ異なる枠体を数段設けていき、片手で運べるように取っ手を設ける。取っ手を持ち上げると各枠体がスライドして高さが増し、カップ（１３）の重心（１６）より支点（１５）が上になる高さまで移動する。
以上を特徴とする取手の付いた伸縮するトレーである。
【発明の効果】
【０００５】  本発明は、カップに入った飲み物が零れ難く不注意でどこかに当たっても、枠体に保護されカップが落下することはない。
【発明を実施するための最良の形態】
【０００６】  以下、本発明の実施の形態を説明する。ここでは枠体６段で説明するので枠体Ｆ（７）が一番外側になる。枠体の数を増減することは可能であり、この枠体がスライドする仕組みは、ロッドアンテナの要領に似ている。
（イ）合成樹脂を主材とし、スライド部（１９）と上部につめ甲（９）の付いたトレー        （１）を設ける。
（ロ）合成樹脂を主材とし、図３に示すようにスライド部（１９）の上部に外向きのつ        め甲（９）、下部に内向きのつめ乙（１０）を付けた枠体を設ける。この枠体は        、４図、５図に示すように各枠体のサイズをそれぞれ変え、スライドするように        する。つまり、枠体Ａ（２）のつめ甲（９）は枠体Ｂ（３）のスライド部（１９        ）の内側をスライドするサイズにし、枠体Ａ（２）のつめ乙（１０）はトレー（        １）のスライド部（１９）の外側をスライドするサイズにする。枠体Ｂ（３）の        つめ甲（９）は枠体Ｃ（４）のスライド部（１９）の内側をスライドするサイズ        にし、枠体Ｂ（３）のつめ乙（１０）は枠体Ａ（２）のスライド部（１９）の外        側をスライドするサイズにする。
他の枠体も以上のように、それぞれサイズを変える。つめ甲（９）、つめ乙（１        ０）を斜めにする理由は、滞りなくスライドするようにである。
（ハ）合成樹脂、或いは金属を主材とし取っ手ア（１１）、取っ手イ（１２）を設ける        。このとき図１０に示すように取っ手イ（１２）よりも、取っ手ア（１１）の幅        を広くし、収納するときそれぞれ窪み（１７）に納まるようにする。
（ニ）取っ手（１１）、（１２）は本発明を縮めカップ（１３）を乗せたとき、図７に        示すように指（１４）がカップ（１３）に当たらない高さにする。
（ホ）トレー（１）の表面は滑りにくいよう加工する。例えばゴム、シリコンなどを貼        る。
（ヘ）図９に示すようカバー（８）に窪み（１７）を設けそれぞれの取っ手（１１）、        （１２）が納まるようにする。
（ト）図４に示すよう一番外側の枠体Ｆ（７）の下部につめ乙（１０）は設けるが、上        部につめ甲（９）は設けずに各枠体が外れないようカバー（８）を設ける。
（チ）図９に示すよう一番外側の枠体Ｆ（７）に  取っ手取り付け部（１８）を設け、        そこに取っ手ア（１１）、取っ手イ（１２）を設置する。
本発明は以上の構成よりなっている。取っ手（１１）、（１２）と枠体Ｆ（７）は、取っ手取り付け部（１８）を介してつながっているので、取っ手（１１）、（１２）を持ち上げると枠体Ｆ（７）も上がる、図６参照。図４に示すように、枠体Ｆ（７）が一定の距離上がるとつめ乙（１０）が枠体Ｅ（６）のつめ甲（９）に引っ掛かり枠体Ｅ（６）が持ち上がる。枠体Ｅ（６）が一定の距離上がると、つめ乙（１０）が枠体Ｄ（５）のつめ甲（９）に引っ掛かり枠体Ｄ（５）が持ち上がる。枠体Ｄ（５）が一定の距離上がると、つめ乙（１０）が枠体Ｃ（４）のつめ甲（９）に引っ掛かり枠体Ｃ（４）が持ち上がる、枠体Ｃ（４）が一定の距離上がると、つめ乙（１０）が枠体Ｂ（３）のつめ甲（９）に引っ掛かり枠体Ｂ（３）が持ち上がる。枠体Ｂ（３）が一定の距離上がると、つめ乙（１０）が枠体Ａ（２）のつめ甲（９）に引っ掛かり枠体Ａ（２）が持ち上がる。枠体Ａ（２）が一定の距離上がると、つめ乙（１０）がトレー（１）のつめ甲（９）に引っ掛かりトレーが持ち上がり、図５の状態から図４の状態になる。
図６に示すように、この時カップ（１３）の重心（１６）より支点（１５）が上になることで安定性が増す。又、取っ手（１１）、（１２）を持つことで飲み物とトレー（１）の揺れが同調に近い揺れ方をするので零れ難くなる。図７、図６参照。
本発明を使用するときは、図２に示すように取っ手（１１），（１２）をそれぞれ外側に倒しカップ（１３）をトレー（１）に乗せ、図７に示すよう取っ手（１１）、（１２）を立て持ち上げる、すると各枠体がスライドして行き図７の状態から図６の状態になる。目的地点に置くと自重で下がり図７の状態になる。取っ手（１１）、（１２）をそれぞれ左右に倒しカップ（１３）を降ろす。一つのカップ（１３）を乗せるときはトレー（１）の中央付近に乗せる、二つ以上乗せるときは図８に示すような片積をすると、重心が偏ってしまうので片積にならないようにしたうが望ましい。収納するときは、取っ手ア（１１）と取っ手イ（１２）の幅が違うので図９に示すように取っ手イ（１２）を先に倒し、次に取っ手ア（１１）を倒すとそれぞれ窪み（１７）に納まる。多数あるときは図１１に示すよう重ねて収納する。この時トレー（１）が少し落ち込み、下になった本発明のカバー（８）と取っ手（１１）、（１２）に支えられのでずれ難く、重ねることが出来る。
【図面の簡単な説明】
【０００７】
【図１】斜視図
【図２】横向き縦向きに成る取っ手の可動図
【図３】各枠体の斜視図
【図４】高さが増した状態の断面図
【図５】低くなった状態の断面図
【図６】高くなった時、カップを乗せた状態
【図７】低くなった時、カップを乗せた状態
【図８】カップを片側に乗せた状態
【図９】取っ手の幅が違うので畳んで窪みに入る側面図
【図１０】取っ手の幅が違うので畳んで窪みに入る上面図
【図１１】重ねて収納するとき、トレーが落ち込む側面図
【符号の説明】
【０００８】１  トレー        ６  枠体Ｅ        １１  取っ手ア        １６  重心
２  枠体Ａ        ７  枠体Ｆ        １２  取っ手イ        １７  窪み
３  枠体Ｂ        ８  カバー        １３  カップ          １８  取っ手取り付け部
４  枠体Ｃ        ９  つめ甲        １４  指              １９  スライド部
５  枠体Ｄ        １０  つめ乙      １５  支点
【図１】
2015051249.tif 000003
【図２】
2015051249.tif 000004
【図３】
2015051249.tif 000005
【図４】
2015051249.tif 000006
【図５】
2015051249.tif 000007
【図６】
2015051249.tif 000008
【図７】
2015051249.tif 000009
【図８】
2015051249.tif 000010
【図９】
2015051249.tif 000011
【図１０】
2015051249.tif 000012
【図１１】
2015051249.tif 000013
【手続補正書】
【提出日】平成26年11月5日(2014.11.5)
【手続補正１】
【補正対象書類名】特許請求の範囲
【補正対象項目名】請求項１
【補正方法】変更
【補正の内容】
【請求項１】
トレーの周囲に高さ方向にスライドする、斜めのつめの付いた外周のそれぞれ異なる枠体を数段設け、トレーと各枠体が外れないよう一番外側のスライド部の上部にカバーを設け、一番外側の枠体に取っ手を設置する取っ手取り付け部を設け、片手で持てるように固定しない取っ手を取っ手取り付け部に設置し、取っ手を持ち上げた時、取っ手取り付け部を介し、各枠体がスライドして高さが増すことにより、支点がカップの重心よりも高い位置に移動することで、カップに入った飲み物が零れ難くなることを特徴とする、取手のついた伸縮するトレー。